(57)【要約】【課題】ハウジング内に吸い込まれる空気の流れを利用してタービンが回転することで生じた回転力によって回転ブラシを回転させる構成において、回転ブラシの外側にシートを円滑に巻きつけてこのシートで床面の拭き掃除を安定して行うことができる電気掃除機用吸込具を提供すること。【解決手段】吸込具１において、タービン１８が配置されるタービン用風路１５を流れた空気は、主吸込風路１４とタービン用風路１５との連通部分１６において、主吸込口４から主吸込風路１４を流れる空気および塵埃と合流し、電気掃除機本体へ送られる。吸込具１には、操作部５１が設けられており、操作部５１には、開閉部材２３が連結されている。開閉部材２３は、操作部５１の操作に応じて、主吸込風路１４において主吸込口４から連通部分１６までの領域をなす主吸込口側部分２７を開閉する。【選択図】図５
2010207400.tif 000002
【特許請求の範囲】
【請求項１】
底面に主吸込口が形成され、前記主吸込口とは別位置に開口が形成されたハウジングと、
一端は前記ハウジングに連結され、他端は前記ハウジングから突出していて、電気掃除機本体と接続され得るベンドパイプと、
前記主吸込口に臨むように前記ハウジングに回転可能に設けられ、床拭き用のシートを外側に巻きつけ可能な回転ブラシと、
前記ハウジングに区画され、前記主吸込口から前記ベンドパイプの一端へと連通する主吸込風路と、
前記ハウジングに前記主吸込風路とは別に区画され、前記開口から前記主吸込風路へと連通するタービン用風路と、
前記タービン用風路に設けられ、前記開口から流入して前記タービン用風路を流れる空気により回転され、その回転力によって前記回転ブラシを回転させるタービンと、
前記主吸込風路において前記主吸込口から前記主吸込風路と前記タービン用風路との連通部分までの領域をなす主吸込口側部分と、
前記ハウジングの表面に露出されるように設けられる操作部と、
前記操作部に連結され、前記操作部の操作に応じて前記主吸込口側部分を開閉する開閉部材と、
を含むことを特徴とする、電気掃除機用吸込具。
【請求項２】
前記開閉部材は、前記操作部の操作に応じて、前記主吸込口側部分を全開にする開位置と、閉じ残しが生じるように前記主吸込口側部分を閉じる閉位置とに変位可能であることを特徴とする、請求項１記載の電気掃除機用吸込具。
【請求項３】
前記開閉部材は、前記操作部の操作に応じて、前記開位置と前記閉位置との間にあって前記閉位置での場合よりも前記閉じ残しが大きい途中位置に変位可能であることを特徴とする、請求項２記載の電気掃除機用吸込具。
【請求項４】
前記ハウジングにおいて、前記主吸込口および前記開口とは別位置に形成され、前記タービン用風路に連通する逃がし穴を含むことを特徴とする、請求項１〜３のいずれかに記載の電気掃除機用吸込具。
【請求項５】
前記ハウジングの前面の下端縁に形成され、前記シートを通過させ得る大きさを有し、前記主吸込口に連通する切欠きを含むことを特徴とする、請求項１〜４のいずれかに記載の電気掃除機用吸込具。
【発明の詳細な説明】
【技術分野】
【０００１】
この発明は、電気掃除機用吸込具に関し、特に、電気掃除機に装着されて使用され、被清掃面上の塵挨を吸い込んで電気掃除機本体へ送るための吸込具に関する。
【背景技術】
【０００２】
従来、電気掃除機用の吸込具では、ハウジングにおいて床面に対向する面に形成された吸込口に回転ブラシが配設されており、この回転ブラシを回転させて床面の塵埃を掻き上げ、掻き上げた塵埃を吸込口から電気掃除機本体側へ送ることで、床面の清掃を行う。
ここで、タービンを内蔵し、電気掃除機本体の吸引力によってハウジング内に空気が吸い込まれる際に、その空気の流れを利用してタービンが回転することで生じた回転力によって回転ブラシを回転させる吸込具が知られている（特許文献１参照）。
【０００３】
また、駆動モータを内蔵し、駆動モータの駆動力によって回転ブラシを回転させる吸込具が知られている（特許文献２参照）。特許文献２に記載の吸込具では、回転ブラシを回転させることによって床拭き用のシートを回転ブラシの外側に巻きつけ、このシートで床面の拭き掃除を行うことができる。
【先行技術文献】
【特許文献】
【０００４】
【特許文献１】特開２００２−２７２６５３号公報
【特許文献２】特開２００７−１３０４９８号公報
【発明の概要】
【発明が解決しようとする課題】
【０００５】
特許文献１に記載の吸込具のように電気掃除機本体の吸引力によって生じたタービンの回転力で回転ブラシを回転させる構成でも、特許文献２に記載の吸込具のように、回転ブラシの外側にシートを巻きつけて床面の拭き掃除ができると好ましい。
しかし、電気掃除機本体の吸引力によって生じたタービンの回転力で回転ブラシを回転させる場合には、駆動モータの駆動力によって回転ブラシを回転させる場合に比べて、一般的に、回転ブラシの回転トルクが低く安定しないことから、シートを回転ブラシの外側に円滑に巻きつけることが困難である。また、シートを回転ブラシの外側に巻きつけることができても、上述した吸引力によってシートの端がばたつくことで騒音が生じたり、ばたついたシートがハウジング内部に引っ掛かることで回転ブラシが回転できなくなったりすることにより、床面の拭き掃除を安定して行えない虞がある。
【０００６】
この発明は、かかる背景のもとでなされたもので、ハウジング内に吸い込まれる空気の流れを利用してタービンが回転することで生じた回転力によって回転ブラシを回転させる構成において、回転ブラシの外側にシートを円滑に巻きつけてこのシートで床面の拭き掃除を安定して行うことができる電気掃除機用吸込具を提供することを目的とする。
【課題を解決するための手段】
【０００７】
請求項１記載の発明は、底面に主吸込口が形成され、前記主吸込口とは別位置に開口が形成されたハウジングと、一端は前記ハウジングに連結され、他端は前記ハウジングから突出していて、電気掃除機本体と接続され得るベンドパイプと、前記主吸込口に臨むように前記ハウジングに回転可能に設けられ、床拭き用のシートを外側に巻きつけ可能な回転ブラシと、前記ハウジングに区画され、前記主吸込口から前記ベンドパイプの一端へと連通する主吸込風路と、前記ハウジングに前記主吸込風路とは別に区画され、前記開口から前記主吸込風路へと連通するタービン用風路と、前記タービン用風路に設けられ、前記開口から流入して前記タービン用風路を流れる空気により回転され、その回転力によって前記回転ブラシを回転させるタービンと、前記主吸込風路において前記主吸込口から前記主吸込風路と前記タービン用風路との連通部分までの領域をなす主吸込口側部分と、前記ハウジングの表面に露出されるように設けられる操作部と、前記操作部に連結され、前記操作部の操作に応じて前記主吸込口側部分を開閉する開閉部材と、を含むことを特徴とする、電気掃除機用吸込具である。
【０００８】
請求項２記載の発明は、前記開閉部材は、前記操作部の操作に応じて、前記主吸込口側部分を全開にする開位置と、閉じ残しが生じるように前記主吸込口側部分を閉じる閉位置とに変位可能であることを特徴とする、請求項１記載の電気掃除機用吸込具である。
請求項３記載の発明は、前記開閉部材は、前記操作部の操作に応じて、前記開位置と前記閉位置との間にあって前記閉位置での場合よりも前記閉じ残しが大きい途中位置に変位可能であることを特徴とする、請求項２記載の電気掃除機用吸込具である。
【０００９】
請求項４記載の発明は、前記ハウジングにおいて、前記主吸込口および前記開口とは別位置に形成され、前記タービン用風路に連通する逃がし穴を含むことを特徴とする、請求項１〜３のいずれかに記載の電気掃除機用吸込具である。
請求項５記載の発明は、前記ハウジングの前面の下端縁に形成され、前記シートを通過させ得る大きさを有し、前記主吸込口に連通する切欠きを含むことを特徴とする、請求項１〜４のいずれかに記載の電気掃除機用吸込具である。
【発明の効果】
【００１０】
請求項１記載の発明によれば、この電気掃除機用吸込具では、床面の塵埃を含む空気が、電気掃除機本体の吸引力によって、ハウジングの底面の主吸込口からハウジング内に吸い込まれて主吸込風路を流れた後に、ハウジングに連結されたベンドパイプの一端からベンドパイプ内に流入し、その後、電気掃除機本体へ送られる。ここで、回転ブラシが回転して床面の塵埃を掻き上げるので、主吸込口では、床面の塵埃を効率的に吸い込むことができる。
【００１１】
ハウジングには、開口が、主吸込口とは別位置に形成されており、開口から主吸込風路へと連通するタービン用風路に設けられたタービンが、電気掃除機本体の吸引力によって開口から流入してタービン用風路を流れる空気により回転され、その回転力によって回転ブラシを回転させる。タービン用風路を流れた空気は、主吸込風路とタービン用風路との連通部分において、主吸込風路を流れる空気および塵埃と合流し、電気掃除機本体へ送られる。
【００１２】
ここで、回転ブラシは、外側に床拭き用のシートを巻きつけることができる。そのため、この電気掃除機用吸込具では、回転ブラシの外側に巻きつけたシートで床面の拭き掃除を行うことができる。
シートでの床面の拭き掃除に関し、電気掃除機用吸込具には、ハウジングの表面に露出されるように操作部が設けられており、操作部には、開閉部材が連結されている。開閉部材は、操作部の操作に応じて、主吸込風路において主吸込口から上述した連通部分までの領域をなす主吸込口側部分を開閉する。
【００１３】
これにより、操作部を操作して主吸込口側部分を閉じると、電気掃除機本体の吸引力が、タービン用風路に優先して作用するので、開口から流入してタービン用風路を流れる空気の勢いが増し、これに応じて、タービンの上述した回転力、換言すれば、回転ブラシの回転トルクを増加させることができる。そのため、主吸込口側部分を閉じることで、回転ブラシの外側にシートを円滑に巻きつけることができる。
【００１４】
また、主吸込口側部分が閉じられると、主吸込口から連通部分まで流れる空気が少なくなって主吸込口での塵埃の吸い込み量が減ることから、その分、塵埃の吸い込みに影響を受けて主吸込風路において空気の流れが乱れることが少なくなるので、主吸込風路に連通するタービン用風路での空気の流れが安定する。これにより、回転ブラシの回転トルクを安定させることができるので、回転ブラシの外側にシートをより円滑に巻きつけることができる。また、回転ブラシの外側にシートを巻きつけた後も、回転ブラシの回転が安定することから、回転ブラシの外側に巻きつけられたシートを回転ブラシの回転に伴って床面に安定してこすり付けることができるので、床面の拭き掃除を安定して行うことができる。
【００１５】
そして、主吸込口側部分が閉じられて主吸込口から連通部分まで流れる空気が少なくなることにより、主吸込口に臨むように設けられた回転ブラシの外側に巻きつけられたシートがばたつき難くなる。これにより、シートの端のばたつきに起因する騒音や、ばたついたシートがハウジング内部に引っ掛かることを防止できるので、床面の拭き掃除をより安定して行うことができる。
【００１６】
以上により、ハウジング内に吸い込まれる空気の流れを利用してタービンが回転することで生じた回転力によって回転ブラシを回転させる構成の電気掃除機用吸込具において、回転ブラシの外側にシートを円滑に巻きつけてこのシートで床面の拭き掃除を安定して行うことができる。
請求項２記載の発明によれば、開閉部材は、操作部の操作に応じて、主吸込口側部分を全開にする開位置と、閉じ残しが生じるように主吸込口側部分を閉じる閉位置とに変位可能である。
【００１７】
そのため、開閉部材が開位置にあるときには、電気掃除機本体の吸引力が、全開になった主吸込口側部分に優先して作用するので、主吸込口では、床面の塵埃を効率的に吸い込むことができる。
一方、開閉部材が閉位置にあるときには、電気掃除機本体の吸引力が、タービン用風路に優先して作用するものの、上述した閉じ残しを介して、主吸込口側部分にも若干作用するので、主吸込口では、床面の塵埃をある程度吸い込むことができる。つまり、開閉部材が閉位置にあるときには、高い回転トルクで回転ブラシを回転させて回転ブラシの外側のシートで床面を強く拭いて床面の汚れを効果的に取り除くことができると同時に、主吸込口から床面の塵埃を吸い込むこともできる。
【００１８】
請求項３記載の発明によれば、開閉部材は、操作部の操作に応じて、開位置と閉位置との間にあって閉位置での場合よりも閉じ残しが大きい途中位置に変位可能である。
そのため、開閉部材が途中位置にあるときには、開閉部材が開位置にあるときよりも高い回転トルクで回転ブラシを回転させることができつつ、開閉部材が閉位置にあるときよりも多くの塵埃を主吸込口から吸い込むことができる。
【００１９】
これにより、たとえば、シートによる床拭きを行わない掃除において、開閉部材を途中位置にすることで、通常（開閉部材が開位置にあるとき）より高い回転トルクで回転ブラシを回転させて、毛足が長いカーペット等から塵埃を効率的に掻き出しつつ、掻き出した塵埃を主吸込口から確実に吸い込むことができる。
請求項４記載の発明によれば、ハウジングにおいて、主吸込口および開口とは別位置には、タービン用風路に連通する逃がし穴が形成されているので、タービン用風路内を流れる空気の勢いが強くなりすぎることを防止できる。これにより、タービン用風路内を流れる空気の勢いが強くなりすぎることによるタービンおよび回転ブラシの必要以上の高速回転に伴うタービンおよび回転ブラシのそれぞれの軸受の損傷を防止できる。
【００２０】
請求項５記載の発明によれば、ハウジングの前面の下端縁には、シートを通過させ得る大きさを有し、主吸込口に連通する切欠きが形成されている。
ハウジング内に吸い込まれる空気の流れを利用してタービンが回転することで生じた回転力によって回転ブラシを回転させる構成の電気掃除機用吸込具では、回転ブラシの回転開始直後に、回転ブラシの外側にシートを巻きつけることができる程度に大きい回転トルクを回転ブラシに発生させることが困難である。そのため、床面に敷いたシートに静止状態の回転ブラシを接触させておいてから回転ブラシを回転させても、回転ブラシの外側にシートが正しく巻きつかないおそれがある。
【００２１】
そこで、床面にシートを敷いた状態で、このシートの後側に切欠きが位置するように電気掃除機用吸込具を配置し、操作部を操作して主吸込口側部分を閉じることによって必要な回転トルクを回転ブラシに予め発生させておくことで、その後、シートを、切欠きを介して、主吸込口に臨む回転ブラシの外側に円滑に巻きつけることができる。
【図面の簡単な説明】
【００２２】
【図１】この発明の一実施形態に係る電気掃除機用吸込具１を右前側から見た斜視図である。
【図２】吸込具１の底面図である。
【図３】吸込具１の右側断面図である。
【図４】ハウジング２の内部が露出された状態にある吸込具１を右上側から見た斜視図である。
【図５】ハウジング２の正断面図であって、（ａ）は、開閉部材２３が開位置にある状態を示し、（ｂ）は、開閉部材２３が途中位置にある状態を示し、（ｃ）は、開閉部材２３が閉位置にある状態を示している。
【図６】左前側から見たハウジング２の分解斜視図であって、一部を断面で示している。
【図７】（ａ）は、回転ブラシ１０の正面図であって、一部を断面で示し、（ｂ）は、（ａ）のＡ−Ａ矢視断面図である。
【図８】ハウジング２の右側断面図であって、回転ブラシ１０の外側にシートＳを巻きつける様子を示している。
【発明を実施するための形態】
【００２３】
以下には、図面を参照して、この発明の実施形態について具体的に説明する。
図１は、この発明の一実施形態に係る電気掃除機用吸込具１を右前側から見た斜視図である。以下では、図１における吸込具１の姿勢を基準として、吸込具１の前後左右方向を規定する。図１において、手前側が前側であり、奥側が後側である。また、左右方向は、幅方向と同義である。なお、図１の吸込具１は、床面Ｘ上に配置されて床面Ｘ上を清掃可能な状態にある。
【００２４】
図１を参照して、吸込具１は、ハウジング２とベンドパイプ３とを含んでいる。
ハウジング２は、幅方向に長手かつ上下方向に扁平で中空のボックス形状である。ハウジング２の天面の後側部分は、上向きに円弧状に膨出している。ハウジング２の天面の後側部分の左端部には、幅方向に長手の矩形状の露出穴５０が形成されており、露出穴５０には、操作部５１が設けられている。操作部５１は、ハウジング２の表面に露出されたレバーであり、露出穴５０内において左右にスライド自在である。
【００２５】
ハウジング２の底面２Ａには、主吸込口４（図１では図示されておらず、後述する図２参照）が形成されている。ハウジング２の前面には、副吸込口５が形成されている。副吸込口５は、ハウジング２の前面のほぼ全域に亘る大きさを有する幅方向に長手の矩形状であり、主吸込口４に連続している。ハウジング２の右面の後側（主吸込口４とは別の位置）には、上向きに膨出する略半円形状の開口６が形成されている。開口６は、所定の大きさの網目を有するネット２４によって覆われている。主吸込口４、副吸込口５および開口６は、ハウジング２内に連通している。
【００２６】
ハウジング２の前面には、シャッター７が設けられている。シャッター７は、幅方向に長手の板状である。シャッター７は、幅方向から見て、前上側へ円弧状に膨出するように、湾曲している（後述する図３も参照）。シャッター７の下端部の幅方向全領域には、前上側へ突出する凸部８が一体的に設けられている。また、シャッター７（換言すればハウジング２の前面）の下端縁には、幅方向に細長い切欠き８０が形成されている。切欠き８０の幅方向寸法は、副吸込口５の幅方向寸法とほぼ同じである。切欠き８０は、副吸込口５を介して主吸込口４（図２参照）に連通している。
【００２７】
そして、シャッター７は、前上側から、副吸込口５を開閉可能に覆っている。ここで、図１では、シャッター７が副吸込口５を閉じた状態が示されている。この状態で、シャッター７の下端縁の切欠き８０により、シャッター７と床面Ｘとの間に、切欠き８０に相当する隙間が確保されている。
ハウジング２の後面の幅方向中央には、接続筒９が取り付けられている。接続筒９は、前後方向に延びる中心軸を有する略円筒状であり、ハウジング２の後面に対して後から挿通され、ハウジング２によって、上述した中心軸を中心として回動自在に支持されており、ハウジング２の一部となっている。接続筒９の内部は、ハウジング２内に連通している。接続筒９の後端面と外周部分の周上１箇所とは、連続して切欠かれており、切欠き部９Ａとされる。
【００２８】
ベンドパイプ３は、図１では前後方向に長手であり、その前端３Ａは、略球体状に形成されている。ベンドパイプ３の前端３Ａは、ハウジング２の接続筒９の切欠き部９Ａに対して後から挿通されており、これによって、ベンドパイプ３は、接続筒９（ハウジング２）によって支持されている。詳しくは、ベンドパイプ３では、前端３Ａ（一端）がハウジング２に連結され、後端３Ｂ（他端）は、ハウジング２から後側へ突出している。この状態で、ベンドパイプ３は、前端３Ａを支点として、接続筒９に対して回動自在である。図１では、ベンドパイプ３は、上下に回動自在である。そして、接続筒９が、前後方向に延びる中心軸を中心として回動自在であることから、ベンドパイプ３は、接続筒９に対して回動しつつ、接続筒９とともに、前後方向に延びる中心軸を中心として回動することができる。ベンドパイプ３の内部は、接続筒９の内部を介して、ハウジング２内に連通している。ベンドパイプ３の後端３Ｂは、ホース（図示せず）等を介して、電気掃除機本体（図示せず）に接続される。
【００２９】
電気掃除機本体（図示せず）が運転されると、電気掃除機本体（図示せず）では吸引力が発生し、この吸引力が、ベンドパイプ３およびハウジング２の内部に作用する。これにより、ハウジング２の底面の上述した主吸込口４（図２参照）から、ハウジング２の外部の空気がハウジング２内に吸引される。そのため、主吸込口４を床面Ｘに対向させると、床面Ｘ上の塵埃が、主吸込口４からハウジング２内に吸引される空気に乗って、主吸込口４からハウジング２内に吸引され、その後、ベンドパイプ３、上述したホース（図示せず）を介して、電気掃除機本体（図示せず）に至り、電気掃除機本体（図示せず）内に溜められる。
【００３０】
ここで、シャッター７が副吸込口５を開いていれば、主吸込口４だけでなく、副吸込口５からもハウジング２内に塵埃を吸引することができる。例えば、ハウジング２の底面２Ａの主吸込口４でなく、副吸込口５が床面Ｘに上から対向するように、ハウジング２を起立させる。そうすると、ハウジング２において、副吸込口５側が底面となってベンドパイプ３側が天面となることで、ハウジング２が、前後方向（水平方向）に薄くなるので、壁と家具との間といった狭い箇所にハウジング２を差し込むことができる。そして、このような狭い箇所における床面Ｘの塵埃を、副吸込口５からハウジング２内に吸引することができる。ここで、シャッター７を開く際に、上述した凸部８が操作される。
【００３１】
なお、開口６の役割については、以降で説明する。
図２は、吸込具１の底面図である。
図２に示すように、上述した主吸込口４は、ハウジング２の底面２Ａにおいて前側（図２における右側）に偏った位置に形成されている。主吸込口４は、幅方向（図２における上下方向）に長手の矩形状である。
【００３２】
ハウジング２内には、回転ブラシ１０が設けられている。回転ブラシ１０は、幅方向に沿って延びる回転軸６０と、回転軸６０の外周面に植立されたブラシ７０とを備えている。回転軸６０の左端部は、軸受２２（後述する図４参照）を介して、ハウジング２の左端部によって回転自在に支持されており、回転軸６０の右端部は、軸受２２（後述する図４参照）を介して、ハウジング２の右端部によって回転自在に支持されている。この状態で、回転ブラシ１０の下側部分は、主吸込口４から下側へ露出されている。つまり、回転ブラシ１０は、ハウジング２に回転可能に設けられ、主吸込口４に臨んでいる。
【００３３】
そして、ハウジング２の後面（図２における左面）には、接続筒９を幅方向から挟みつつ後側へ延びる一対の延設部１１が一体的に設けられている。各延設部１１の後端には、ローラ１２が回転自在に設けられている。ローラ１２が床面Ｘ（図１および後述する図３を参照）上で回転することによって、ハウジング２を床面Ｘ上で円滑に移動させることができる。
【００３４】
図３は、吸込具１の右側断面図である。
図３に示すように、ハウジング２内には、主吸込風路１４が区画されている。主吸込風路１４は、太い破線矢印で示すように、主吸込口４から後上側（図３では右上側）へ延び、ベンドパイプ３の前端３Ａへと連通している。ここで、上述した接続筒９の内部は、主吸込風路１４の一部をなしている。
【００３５】
ここで、上述した副吸込口５は、主吸込風路１４に対して、前側から連通している。
図３に示すように主吸込口４が床面Ｘに対して上から対向した状態において電気掃除機本体（図示せず）が運転されると、電気掃除機本体（図示せず）で発生した吸引力は、ベンドパイプ３内および主吸込風路１４内に作用する。これにより、床面Ｘ上の塵埃は、主吸込口４からハウジング２内に吸引され、主吸込風路１４を通って、ベンドパイプ３へ向かう。ここで、回転ブラシ１０が回転されることによって、床面Ｘ上の塵埃は、回転ブラシ１０（詳しくは主吸込口４から床面Ｘへ露出されたブラシ７０）によって、主吸込口４へ向けて掻き上げられる。これにより、床面Ｘ上の塵埃は、主吸込口４からハウジング２（主吸込風路１４）内に効率的に吸引される。
【００３６】
図４は、ハウジング２の内部が露出された状態にある吸込具１を右上側から見た斜視図である。
図４に示すように、主吸込風路１４は、幅方向に長手の主吸込口４とハウジング２の後面の幅方向中央に配置されたベンドパイプ３とを連通させていることから、上から見て、後側ヘ向かって幅狭となる凸状をなしている。
【００３７】
ここで、ハウジング２内には、タービン用風路１５が、主吸込風路１４とは別に区画されている。タービン用風路１５は、ハウジング２内において、右後側（主吸込口４の右側部分より後側）の領域に区画されている。タービン用風路１５は、幅方向に延びている。タービン用風路１５の右端部は、上述したハウジング２の右面の開口６（図１参照）に連通している。タービン用風路１５の左端部１５Ａは、幅方向に長手で中空のボックス形状であり、主吸込風路１４の後端部（詳しくは接続筒９より手前側の部分）に上から連通している。つまり、タービン用風路１５は、開口６（図１参照）から主吸込風路１４へと連通している。
【００３８】
主吸込風路１４とタービン用風路１５（左端部１５Ａ）との連通部分１６は、主吸込風路１４の後端部（詳しくは、後述する後側部分１４Ｂ）の上側部分に形成されている。連通部分１６は、主吸込風路１４に沿って後上側へ延びる幅広で略Ｕ字状の縁１７（ハッチングを施した部分を参照）によって区画された幅広で略矩形状の穴である。
そして、タービン用風路１５には、タービン１８が設けられている。タービン１８は、幅方向に延びる回転軸１８Ａと、回転軸１８Ａに固定された羽根１８Ｂとを一体的に備えている。回転軸１８Ａの右端部は、軸受１９を介して、ハウジング２の右端部に回転自在に支持されている。そのため、タービン１８全体は、回転軸１８Ａを中心として回転自在である。
【００３９】
ここで、タービン１８の回転軸１８Ａの右端部（詳しくは軸受１９より左側の部分）には、プーリー（タービンプーリー２０という。）が取り付けられており、回転ブラシ１０の回転軸６０の右端部（詳しくは右側の軸受２２より左側の部分）には、プーリー（ブラシプーリー２１という。）が取り付けられている。タービンプーリー２０とブラシプーリー２１とは、幅方向において、ほぼ同じ位置にあり、タービンプーリー２０とブラシプーリー２１との間には、ベルト（図示せず）が巻回されている。これにより、回転ブラシ１０とタービン１８とが連結されている。
【００４０】
上述したように、電気掃除機本体（図示せず）が運転されることによって電気掃除機本体（図示せず）で吸引力が発生すると、この吸引力は、上述したようにベンドパイプ３内および主吸込風路１４内に作用し、さらに、連通部分１６を介して、タービン用風路１５内にも作用する。これにより、ハウジング２の外の空気が、開口６（図１参照）からタービン用風路１５内に流入してタービン用風路１５内を左側へ流れ、連通部分１６から主吸込風路１４に至り（図示した太い破線矢印参照）、主吸込風路１４を流れる空気および塵埃と合流して電気掃除機本体（図示せず）へ送られる。
【００４１】
そして、タービン１８は、このように開口６から流入してタービン用風路１５内を流れる空気を羽根１８Ｂで受けることによって、この空気により回転される。タービン１８が回転することによって、上述したようにタービン１８に連結された回転ブラシ１０も回転する。換言すれば、タービン１８は、その回転力によって、回転ブラシ１０を回転させる。なお、上述したように開口６がネット２４によって覆われているので（図１参照）、ハウジング２の外の塵埃が、空気に伴われて開口６からタービン用風路１５内に流入することはない。
【００４２】
ここで、上述したように上から見て後側ヘ向かって幅狭となる凸状をなす主吸込風路１４に関し、ハウジング２内は、幅方向に延びる矩形板状の区画壁２５によって、前後に区画されており、ハウジング２内において区画壁２５より前側の領域に、主吸込風路１４において幅広の前側部分１４Ａが配置されている。前側部分１４Ａに、上述した回転ブラシ１０が配置されている。
【００４３】
また、ハウジング２内において区画壁２５より後側の領域に、主吸込風路１４において幅狭の後側部分１４Ｂが配置されている。そして、区画壁２５の幅方向略中央位置（幅方向においてハウジング２および主吸込口４のそれぞれの中央とほぼ一致する位置）には、区画壁２５を前後に貫通する連通口２６が形成されており、上述した前側部分１４Ａと後側部分１４Ｂとが連通口２６を介して互いに連通している。
【００４４】
そして、このような主吸込風路１４において、主吸込口４から上述した連通部分１６までの領域は、主吸込口側部分２７とされる。主吸込口側部分２７の途中に、連通口２６が位置している。
図５は、ハウジング２の正断面図であって、（ａ）は、開閉部材２３が開位置にある状態を示し、（ｂ）は、開閉部材２３が途中位置にある状態を示し、（ｃ）は、開閉部材２３が閉位置にある状態を示している。
【００４５】
図５（ａ）を参照して、ハウジング２内（詳しくは、主吸込風路１４の前側部分１４Ａ）には、開閉部材２３（ハッチングを施した部分を参照）が設けられている。開閉部材２３は、幅方向に長手の１枚の板状であり、正面から見て矩形状をなしている。開閉部材２３の左端部の上端部には、上側へ突出する棒状のリブ２３Ａが一体的に設けられている。リブ２３Ａの上端部が、上述した操作部５１（詳しくは操作部５１の底面に設けられた凹部５１Ａ）に対して下から突き刺さっており、これにより、開閉部材２３が操作部５１に連結されている。
【００４６】
この状態において、開閉部材２３は、区画壁２５の前側面によって、左右方向へスライド自在に支持されている。ここで、図５（ａ）に示すように最も左側にあるときの開閉部材２３の位置は、開位置とされ、図５（ｂ）に示すように開位置から所定距離だけ右側へスライドしたときの開閉部材２３の位置は、途中位置とされ、図５（ｃ）に示すように最も右側にあるときの開閉部材２３の位置は、閉位置とされる。途中位置は、開位置と閉位置との間にある。
【００４７】
ここで、開閉部材２３は、上述したように操作部５１に連結されていることから、操作部５１を露出穴５０内で左右にスライドさせる操作に応じて、開位置と、途中位置と、閉位置とに変位する。なお、操作部５１が露出されるハウジング２の天面（図１参照）に、操作部５１の位置と開閉部材２３の位置との関係を示すマークが表示されていてもよい。また、操作部５１をスライドさせて開閉部材２３が開位置と途中位置と閉位置とに変位する度に、操作部５１を操作するユーザにいわゆるクリック感が与えられると、使い勝手がよい。
【００４８】
図５（ａ）に示すように開閉部材２３が開位置にあるときには、開閉部材２３の右端縁が区画壁２５の連通口２６の左端縁よりも左側にあり、連通口２６（換言すれば主吸込口側部分２７）が全開になっている。このとき、操作部５１は、ハウジング２の天面の露出穴５０の左端部に位置している。
ここで、上述したように電気掃除機本体（図示せず）が吸引力を発生すると、この吸引力は、タービン用風路１５（図４参照）にも作用するが、全開にされた主吸込口側部分２７に優先して作用する。そのため、吸込具１では、タービン用風路１５に比べて、主吸込口側部分２７において空気が勢いよく流れ、その分、主吸込口４における吸引力が大きくなり、主吸込口４では、床面Ｘ（図３参照）の塵埃を効率的に吸い込むことができる。
【００４９】
図５（ｂ）に示すように開閉部材２３が途中位置にあるときには、幅方向において、開閉部材２３の右端縁が連通口２６において中央から少し左側にずれた部分と一致しており、開閉部材２３の右側部分が、連通口２６の左側から略３分の１の領域を前側から閉じている。つまり、途中位置にある開閉部材２３は、連通口２６の右側から略３分の２に相当する閉じ残しＹが生じるように、主吸込口側部分２７を閉じている。このとき、操作部５１は、露出穴５０の幅方向略中央に位置している。
【００５０】
このように、開閉部材２３が途中位置にあるときには、主吸込口側部分２７が狭まるので、上述した吸引力が発生すると、この吸引力は、開閉部材２３が開位置にあるときに比べて、タービン用風路１５（図４参照）には強く作用するようになる一方で、主吸込口側部分２７には弱く作用するようになる。そのため、吸込具１では、開閉部材２３が開位置にあるときに比べて、タービン用風路１５を流れる空気の勢いが強まり、主吸込口側部分２７を流れる空気の勢いが弱まる。
【００５１】
図５（ｃ）に示すように開閉部材２３が閉位置にあるときには、幅方向において、開閉部材２３の右端縁が連通口２６において中央から少し右側にずれた部分と一致しており、開閉部材２３の右側部分が、連通口２６の左側から略３分の２の領域を前側から閉じている。つまり、閉位置にある開閉部材２３は、連通口２６の右側から略３分の１に相当する（即ち、途中位置での場合における閉じ残しＹより幅方向において小さい）閉じ残しＺが生じるように、主吸込口側部分２７を閉じている。このとき、操作部５１は、露出穴５０の右端部に位置している。
【００５２】
このように、開閉部材２３が閉位置にあるときには、開閉部材２３が途中位置にあるときよりも主吸込口側部分２７が狭まるので、上述した吸引力が発生すると、この吸引力は、開閉部材２３が途中位置にあるときに比べて、タービン用風路１５（図４参照）には一層強く作用するようになる一方で、主吸込口側部分２７には一層弱く作用するようになる。つまり、吸引力は、主吸込口側部分２７にも若干作用するが、タービン用風路１５（図４参照）に優先して作用するようになる。そのため、吸込具１では、主吸込口側部分２７に比べて、タービン用風路１５において空気が勢いよく流れ、その分、タービン１８（換言すれば回転ブラシ１０）が、勢いよく（高い回転トルクで）回転する。
【００５３】
以上のように、主吸込口側部分２７において流れる空気の勢い（主吸込口４における吸引力）は、開閉部材２３が開位置にあるときに最も強く、開閉部材２３が開位置から閉位置へ変位するのに従って弱くなり、開閉部材２３が閉位置にあるときに最も弱い。一方、タービン用風路１５（図４参照）を流れる空気の勢い（換言すればタービン１８および回転ブラシ１０の回転トルク）は、開閉部材２３が閉位置にあるときに最も強く、開閉部材２３が閉位置から開位置へ変位するのに従って弱くなり、開閉部材２３が開位置にあるときに最も弱い。ここで、開閉部材２３の位置を開位置から閉位置に切換えると、回転ブラシ１０の回転数が、たとえば２倍ほど大きくなる。
【００５４】
通常の床掃除（床面Ｘの塵埃を主吸込口４から吸引する掃除）では、開閉部材２３が開位置にあるが、以降で述べる特殊な掃除において、開閉部材２３の位置が途中位置や閉位置に切換えられる。
図６は、左前側から見たハウジング２の分解斜視図であって、一部を断面で示している。
【００５５】
ここで、ハウジング２の後面において接続筒９より左側の領域（上述した主吸込口４および開口６とは別の位置）には、逃がし穴２８が形成されている。ここで、ハウジング２内には、逃がし穴２８と上述したタービン用風路１５の左端部１５Ａ（図４参照）とを連通させる連通風路２９が区画されており、これにより、逃がし穴２８は、タービン用風路１５に連通している。
【００５６】
上述したように、開閉部材２３が閉位置（図５（ｃ）参照）にあるときにタービン用風路１５（図４参照）を流れる空気の勢い（換言すればタービン１８および回転ブラシ１０の回転トルク）が最も強くなる。ここで、タービン用風路１５を流れる空気の一部が連通風路２９を経由して逃がし穴２８からハウジング２の外へ逃げる（図６の太い破線矢印参照）。これにより、タービン用風路１５（図４参照）を流れる空気の勢い（図４の太い破線矢印参照）が強くなりすぎることを防止できる。そのため、タービン用風路１５内を流れる空気の勢いが強くなりすぎることによるタービン１８および回転ブラシ１０の必要以上の高速回転に伴うタービン１８および回転ブラシ１０のそれぞれの軸受１９、２２の損傷を防止できる（図４参照）。
【００５７】
図７において、（ａ）は、回転ブラシ１０の正面図であって、一部を断面で示し、（ｂ）は、（ａ）のＡ−Ａ矢視断面図である。
次に、図７を参照して、回転ブラシ１０について詳説する。
上述したように、回転ブラシ１０では、幅方向に沿って延びる回転軸６０の外周面に、ブラシ７０が植立されている。
【００５８】
詳しくは、ブラシ７０は、図７（ｂ）に示すように幅方向から見て、回転軸６０の外周面の周方向において略等間隔を隔てた複数箇所（ここでは６箇所であるが、少なくとも６箇所以上）に植立されている。以下では、各箇所のブラシ７０を、その位置に応じて、左側から見た時計回りの順に、第１ブラシ７０Ａと、第２ブラシ７０Ｂと、第３ブラシ７０Ｃと、第４ブラシ７０Ｄと、第５ブラシ７０Ｅと、第６ブラシ７０Ｆとに区別する。つまり、ブラシ７０は、ここでは６条設けられている。
【００５９】
第１ブラシ７０Ａから第６ブラシ７０Ｆまでの各ブラシ７０は、図７（ａ）に示すように、回転軸６０の外周面の幅方向両端部をつなぐように幅方向に細長く、各ブラシ７０の根元部（回転軸６０の外周面側の基端部）は、左側から右側へ向かうにつれて、回転軸６０の外周面の周方向における所定の方向へ次第にずれている。
ここで、図７（ｂ）を参照して、本実施例における回転ブラシ１０の仕様について詳しく説明すると、まず、回転軸６０の外径は、１２ｍｍ以上である。
【００６０】
そして、第１ブラシ７０Ａおよび第４ブラシ７０Ｄは、直毛のブラシであり、それぞれのブラシの毛足の長さは、ブラシの毛の先端と床面Ｘ（図３参照）との最短の間隔が０ｍｍ〜１ｍｍとなるように、設定されている。
一方、第２ブラシ７０Ｂおよび第５ブラシ７０Ｅは、縮毛のブラシであり、それぞれのブラシの毛足の長さ（縮れた状態での長さ）は、ブラシの毛の先端と床面Ｘとの最短の間隔が０ｍｍ〜２ｍｍとなるように（つまり直毛の第１ブラシ７０Ａおよび第４ブラシ７０Ｄより若干短くなるように）、設定されている。
【００６１】
また、第３ブラシ７０Ｃおよび第６ブラシ７０Ｆは、たとえば直毛と縮毛とが混在したブラシであり、それぞれのブラシの毛足の長さは、ブラシの毛の先端と床面Ｘとの最短の間隔が０ｍｍ〜２ｍｍとなるように（つまり直毛の第１ブラシ７０Ａおよび第４ブラシ７０Ｄより若干短くなるように）、設定されている。
この回転ブラシ１０では、これから述べるように、その外側に床拭き用のシートＳ（後述する図８参照）を巻きつけることができる。
【００６２】
図８は、ハウジング２の右側断面図であって、回転ブラシ１０の外側にシートＳを巻きつける様子を示している。
図８を参照して、シートＳは、布もしくは紙のドライシート、または、水やアルコール等が染み込んだ布もしくは紙のウェットシートである。
シートＳを回転ブラシ１０の外側に巻きつけるのに際し、まず、図８（ａ）に示すように、シートＳを床面Ｘに敷く。そして、図８（ａ）では図示されていないが、床面Ｘに敷かれたシートＳの後端部（図８における右端部）に対して後側からシャッター７の下端縁の切欠き８０が臨むように、シートＳの後方に吸込具１を配置する。このとき、回転ブラシ１０のいずれのブラシ７０もシートＳに接触していない。
【００６３】
ここで、本発明のように、ハウジング２内に吸い込まれる空気の流れを利用してタービン１８（図４参照）が回転することで生じた回転力によって回転ブラシ１０を回転させる構成の吸込具１では、回転ブラシ１０の回転開始直後に、回転ブラシ１０の外側にシートＳを巻きつけることができる程度の大きな回転トルクを回転ブラシ１０に発生させることが困難である。そのため、床面Ｘに敷いたシートＳに静止状態の回転ブラシ１０を接触させておいてから回転ブラシ１０を回転させても、回転ブラシ１０の外側にシートＳが正しく巻きつかないおそれがある。そこで、上述したように、まずは、床面ＸにシートＳを敷いた状態でシートＳの後側に切欠き８０が位置するように吸込具１を配置する。
【００６４】
次いで、電気掃除機本体（図示せず）に上述した吸引力を発生させ、回転ブラシ１０を、右側から見て反時計回りの方向（図示した太い破線矢印参照）へ回転させる。ここで、上述した操作部５１を操作して開閉部材２３を閉位置に配置しておく（図５（ｃ）参照）。これにより、上述したように、回転ブラシ１０の回転トルクが最も強くなる。また、この状態の回転ブラシ１０は、上述したシートＳを含め、何にも接触していないことから、回転ブラシ１０の回転は、上述した強い回転トルクを維持しつつ、安定している。
【００６５】
この後、回転ブラシ１０が回転した状態（必要な回転トルクを回転ブラシ１０に予め発生させた状態）を維持しつつ、図８（ａ）に示すように、床面Ｘに敷かれたシートＳの後端部がシャッター７の切欠き８０に対して前側から挿通されるように、吸込具１をシートＳに対して後側から近付ける。
すると、回転する回転ブラシ１０において、毛足が最も長い第１ブラシ７０Ａおよび第４ブラシ７０Ｄのいずれかのブラシ（ここでは第１ブラシ７０Ａとする。）の毛先が、最初に、シートＳの後端部に引っかかる。これにより、シートＳが、切欠き８０を通過しながら、後端部側から主吸込風路１４（前側部分１４Ａ）の回転ブラシ１０に引き寄せられる。また、第１ブラシ７０Ａのブラシの毛先がシートＳの後端部に引っかかることにより、シートＳの後端部が、第１ブラシ７０Ａと床面Ｘとの間に挟まるように整えられ、主吸込口４がシートＳによって塞がれることが防止される。
【００６６】
そして、第１ブラシ７０Ａの毛先がシートＳの後端部に引っかかったことに続いて、今度は、図８（ｂ）に示すように、第２ブラシ７０Ｂの毛先がシートＳの後端部に引っかかり、その後、第３ブラシ７０Ｃの毛先がシートＳの後端部にさらに引っかかる。縮毛である第２ブラシ７０ＢがシートＳに引っかかることにより、シートＳを回転ブラシ１０の外側に巻きつける途中でシートＳが回転ブラシ１０から外れることが防止される。
【００６７】
このようにして、第１ブラシ７０Ａおよび第４ブラシ７０Ｄのうち、第１ブラシ７０Ａが最初にシートＳに引っかかる場合には、その後、回転ブラシ１０の回転方向（図８（ａ）の太い破線矢印参照）において第１ブラシ７０Ａの上流側に配置される第２ブラシ７０Ｂ、第３ブラシ７０Ｃ、第４ブラシ７０Ｄ、第５ブラシ７０Ｅおよび第６ブラシ７０Ｆが、この順番で、シートＳに引っかかる。第４ブラシ７０Ｄが最初にシートＳに引っかかる場合には、その後、第５ブラシ７０Ｅ、第６ブラシ７０Ｆ、第１ブラシ７０Ａ、第２ブラシ７０Ｂおよび第３ブラシ７０Ｃが、この順番で、シートＳに引っかかる。
【００６８】
そして、回転ブラシ１０の回転に伴って、第１ブラシ７０Ａ〜第６ブラシ７０Ｆまでの各ブラシ７０がシートＳに何度か引っかかると、シートＳ全体が、上述した切欠き８０を介して主吸込風路１４の前側部分１４Ａに取り込まれ、図８（ｃ）に示すように、回転ブラシ１０の外側（外周面）に、たとえば２層または３層で円滑に巻きつけられる。
ここで、シートＳに各ブラシ７０が引っかかる際、上述したように開閉部材２３が引き続き閉位置（図５（ｃ）参照）に配置されていることから、主吸込口側部分２７（主吸込風路１４の前側部分１４Ａ）を流れる空気の勢いが弱い。そのため、シートＳが主吸込口側部分２７を流れる空気に引っ張られて幅方向中央の連通口２６側（図４参照）に偏った状態で回転ブラシ１０に巻きつくことが防止される。これにより、シートＳは、幅方向において偏ることなく、回転ブラシ１０に巻きつけられる。
【００６９】
そして、このように回転ブラシ１０の外側にシートＳが巻きつけられた状態で、回転ブラシ１０を回転させつつ、シートＳを床面Ｘに接触させることで、吸込具１では、シートＳによる床面Ｘの拭き掃除が可能となる。これにより、床面Ｘに付着した汚れを除去することができる。
以上のように、操作部５１を操作して開閉部材２３の位置を閉位置に切換えると（図５（ｃ）参照）、電気掃除機本体（図示せず）の吸引力が、タービン用風路１５（図４参照）に優先して作用することで回転ブラシ１０の回転トルクを増加するので、回転ブラシ１０の外側にシートＳを円滑に巻きつけることができる。
【００７０】
また、開閉部材２３が閉位置にあるときには、主吸込口４から連通部分１６（図４参照）までの領域（主吸込口側部分２７）を流れる空気が少なくなって主吸込口４での塵埃の吸い込み量が減ることから、その分、塵埃の吸い込みに影響を受けて主吸込風路１４において空気の流れが乱れることが少なくなる。これにより、主吸込風路１４に連通するタービン用風路１５での空気の流れ（図４の太い破線矢印参照）が安定する。よって、回転ブラシ１０の回転トルクを安定させることができるので、回転ブラシ１０の外側にシートＳをより円滑に巻きつけることができる。また、回転ブラシ１０の外側にシートＳを巻きつけた後も、回転ブラシ１０の回転が安定することから、回転ブラシ１０の外側に巻きつけられたシートＳを回転ブラシ１０の回転に伴って床面Ｘに安定してこすり付けることができるので、床面Ｘの拭き掃除を安定して行うことができる。
【００７１】
そして、主吸込口側部分２７を流れる空気が少なくなることにより、回転ブラシ１０の外側に巻きつけられたシートＳがばたつき難くなる。これにより、シートＳの端のばたつきに起因する騒音や、ばたついたシートＳがハウジング２内部に引っ掛かることを防止できるので、床面Ｘの拭き掃除をより安定して行うことができる。
以上により、ハウジング２内に吸い込まれる空気の流れを利用してタービン１８が回転することで生じた回転力によって回転ブラシ１０を回転させる構成の吸込具１において、駆動モータで回転ブラシ１０を回転させる吸込具と同様に、回転ブラシ１０の外側にシートＳを円滑に巻きつけてこのシートＳで床面Ｘの拭き掃除を安定して行うことができる。本発明の吸込具１は、上述した駆動モータを備える構成に比べて、重量物である駆動モータを備えない分だけ軽量であり、電気部品がないことから構成が単純であるという点でメリットがある。
【００７２】
そして、開閉部材２３が閉位置にあるときには、上述したように吸引力がタービン用風路１５に優先して作用するものの、上述した閉じ残しＺを介して、主吸込口側部分２７にも若干作用するので、主吸込口４では、床面Ｘの塵埃をある程度吸い込むことができる（図５（ｃ）参照）。つまり、開閉部材２３が閉位置にあるときには、高い回転トルクで回転ブラシ１０を回転させて回転ブラシ１０の外側のシートＳで床面Ｘを強く拭いて床面Ｘの汚れを効果的に取り除くことができると同時に、主吸込口４から床面Ｘの塵埃を吸い込むこともできる。
【００７３】
なお、シートＳを回転ブラシ１０の外側に巻きつけた後は、開閉部材２３の位置を閉位置（図５（ｃ）参照）から途中位置（図５（ｂ）参照）や開位置（図５（ａ）参照）に切換えることで回転ブラシ１０の回転トルクを弱めることにより、回転ブラシ１０の外側のシートＳで床面Ｘを柔らかく拭いてもよい。これにより、シートＳの寿命を延ばしたり、シートＳで床面Ｘを拭く際に生じる騒音を低減したりすることができる。
【００７４】
そして、上述したように、ブラシ７０が、第１ブラシ７０Ａ〜第６ブラシ７０Ｆというように、少なくとも６条以上となるように設けられているので、回転ブラシ１０の外側に巻きついたシートＳは、円筒に近い形状になる。そのため、回転ブラシ１０を回転させて、巻きつけたシートＳを床面Ｘに接触させる際に、回転ブラシ１０の外側に巻きついたシートＳの形状が崩れ難く、また、床面Ｘを効率的に拭くことができる。
【００７５】
また、上述したように、回転軸６０の外径が１２ｍｍ以上あると、主吸込口４から吸い込まれた塵埃のうち、髪の毛等の長いもの（いわゆる繊維ごみ）が回転軸６０に絡みにくくなるので、回転ブラシ１０を頻繁にお手入れせずに済み、使い勝手がよい。
そして、吸込具１で、毛足の長いカーペットなどを掃除する際には、開閉部材２３の位置が開位置（図５（ａ）参照）または閉位置（図５（ｃ）参照）から途中位置（図５（ｂ）参照）に切換えられる。なお、カーペットを掃除する場合には、回転ブラシ１０の外側にシートＳを巻きつけない。
【００７６】
この場合には、上述したように、通常の床掃除の場合（開閉部材２３が開位置にある場合）に比べて、タービン用風路１５を流れる空気の勢い（換言すれば回転ブラシ１０の回転トルク）が強まる一方で、主吸込口４における吸引力が弱まる。
カーペットを掃除する場合には、主吸込口４における吸引力がある程度弱くなっても、回転ブラシ１０の勢いよく回転させることができれば、カーペットにおいて長い毛足の間に挟まった塵埃を効率的に取り除くことができる。ここで、上述したように、開閉部材２３が途中位置にある場合の主吸込口４における吸引力は、開閉部材２３が開位置にある場合に比べて弱いが、開閉部材２３が閉位置にある場合に比べて強く、回転ブラシ１０がカーペットの毛足の間から掻き出した塵埃を主吸込口４内に確実に吸引させることができる。
【００７７】
そして、回転ブラシ１０の各ブラシ７０において（図７（ｂ）も参照）、直毛の第１ブラシ７０Ａおよび第４ブラシ７０Ｄは、最も長いので、カーペットにおいて毛足の根元にある塵埃を確実に掻き出すことができる。そして、縮毛の第２ブラシ７０Ｂおよび第５ブラシ７０Ｅは、第１ブラシ７０Ａおよび第４ブラシ７０Ｄよりも短いので、カーペットの毛足に引っ掛かりにくい。そのため、回転ブラシ１０の回転数の低下を防ぐことができる。
【００７８】
この発明は、以上説明した実施形態に限定されるものではなく、請求項記載の範囲内において種々の変更が可能である。
【符号の説明】
【００７９】
１      電気掃除機用吸込具
２      ハウジング
２Ａ    底面
３      ベンドパイプ
３Ａ    前端
３Ｂ    後端
４      主吸込口
６      開口
１０    回転ブラシ
１４    主吸込風路
１５    タービン用風路
１６    連通部分
１８    タービン
２３    開閉部材
２７    主吸込口側部分
２８    逃がし穴
５１    操作部
８０    切欠き
Ｓ      シート
Ｙ      閉じ残し
Ｚ      閉じ残し
【図１】
2010207400.tif 000003
【図２】
2010207400.tif 000004
【図３】
2010207400.tif 000005
【図４】
2010207400.tif 000006
【図５】
2010207400.tif 000007
【図６】
2010207400.tif 000008
【図７】
2010207400.tif 000009
【図８】
2010207400.tif 000010